(57)【特許請求の範囲】
【請求項１】
透明性を有するプラスチックシートを屈曲することにより、前後壁（５），（６）、天壁（７）及び底壁（８）を備え且つ両側が開口された収容部（４）が形成された包装ケース（２）の該収容部（４）に被包装物（１０）が前後壁（５），（６）を通して透視可能に収容された包装体において、天壁（７）と底壁（８）との間隔（Ｌ１）が、被包装物（１０）のキャップ（１３）の下面から底面までの距離よりも小さくなるように設定され、前記天壁（７）と前後壁（５），（６）の少なくとも一方が、該天壁（７）よりも幅の狭い連結部（１１）により接続され、しかも、該連結部（１１）の幅（Ｗ）と天壁（７）の幅（Ｗ１）とが、３Ｗ≦Ｗ１の関係に設定される一方、前記天壁（７）の一部は上方に湾曲自在に設けられ、且つ、前記天壁（７）に形成された挿通口（１８）には、連結部（１１）をねじり、天壁（７）を上方に湾曲させた状態で、傾斜させた被包装物（１０）のキャップ（１３）が下方向から挿通されていることを特徴とする包装体。
【請求項２】
前後壁（５），（６）と底壁（８）の屈曲部に、前記被包装物（１０）の底部の周部が係合する開口（１５），（１６）が形成されていることを特徴とする請求項１に記載の包装体。
【請求項３】
天壁（７）と前壁（５）とを接続する折り目（ｃ）上に、両側から切り込み（３６），（３６）が形成されていることを特徴とする請求項１又は２に記載の包装体。
【発明の詳細な説明】
【０００１】
【発明の属する技術分野】
本発明は、例えば化粧品等の商品（被包装物）を収容して展示しながら販売し得る包装体及び包装ケースに関する。
【０００２】
【従来の技術】
従来、小型の瓶容器入りの化粧品等の商品は、販売時におけるディスプレイ性を考慮して透明のプラスチックシートを屈曲することにより形成された包装ケース内に収容されている。そして、この種の包装ケースは、図７に示す如く、前後壁５１，５２、天壁５３及び底壁５５を備え且つ両側が開口された収容部５６を有するものである。
【０００３】
【発明が解決しようとする課題】
前記従来の包装ケースは、その両側が開口されているため、商品５７が包装ケースで包装されてなる包装体を取り扱う場合（輸送時等）に、商品５７が包装ケースから容易に飛び出したり、脱落したりするおそれがある。従って、包装ケースから商品５７が不用意に飛び出したり、あるいは、脱落したりするのを防止する必要がある。
【０００４】
また、商品５７を包装ケースで包装する作業は、迅速に行えるのが好ましいのであるが、従来では例えば、商品５７を被覆すべくシートを屈曲した後に、シートの適宜箇所を接着する構成であったため、商品５７を容易且つ迅速に包装できないという欠点があった。
【０００５】
また、予め形成されている包装ケースに、商品を収容する場合には、商品を開口から強制的に入れるため、シートを屈曲した罫線部分を破断してしまうおそれがあった。
【０００６】
本発明は、上記従来の問題点に鑑みてなされたもので、スリーブ状の包装ケースから被包装物が不用意に飛び出したり、あるいは、脱落したりするのを防止すると共に、シートを破断することなく被包装物をスムーズ且つ容易に包装ケースに入れて包装できるようにすることを課題とする。
【０００７】
【課題を解決するための手段】
本発明は、上記課題を解決するために包装体としてなされたものである。包装体としての技術的手段は、透明性を有するプラスチックシートを屈曲することにより、前後壁５，６、天壁７及び底壁８を備え且つ両側が開口された収容部４が形成された包装ケース２の該収容部４に被包装物１０が前後壁５，６を通して透視可能に収容された包装体において、天壁７と底壁８との間隔Ｌ１が、被包装物１０のキャップ１３の下面から底面までの距離よりも小さくなるように設定され、前記天壁７と前後壁５，６の少なくとも一方が、該天壁７よりも幅の狭い連結部１１により接続され、しかも、該連結部１１の幅Ｗと天壁７の幅Ｗ１とが、３Ｗ≦Ｗ１の関係に設定される一方、前記天壁７の一部は上方に湾曲自在に設けられ、且つ、前記天壁７に形成された挿通口１８には、連結部１１をねじり、天壁７を上方に湾曲させた状態で、傾斜させた被包装物１０のキャップ１３が下方向から挿通されていることにある。
【０００８】
そして、被包装物１０を包装ケース２で包装する際には、天壁７の一部を上方に湾曲させることにより、該天壁７と底壁８との間隔を大きくできる。従って、被包装物１０の上方を開口が大きくなった収容部４に斜めに入れることにより、シートの一部が破断することなく、被包装物１０を包装ケース２に容易に収容することができる。
また、反対に被包装物１０を包装ケース２から取り出す場合には、前記天壁７の一部を上方に湾曲させることにより、容易に行える。
【０００９】
しかも、被包装物１０のキャップ１３は、天壁７の挿通口１８に挿通されていることから、被包装物１０は包装体から不用意に飛び出したり、脱落したりするおそれはほとんどない。
【００１１】
【発明の実施の形態】
以下、本発明の包装体の実施の形態について図面を参酌しつつ説明する。
図１〜図４は本発明の第一実施の形態を示し、本実施形態における包装体は、一枚の帯状の透明なプラスチックシート３から構成された包装ケース２と、該ケース２内に収容される被包装物としての容器１０とからなる。
尚、ここで、プラスチックシート３の透明とは、容器１０を透視可能な程度の半透明も含む。プラスチックシート３としては、例えば、厚さ０．１〜０．５ｍｍのポリエステルやポリプロピレン、ポリ塩化ビニル製のシートが使用できる。
【００１２】
前記包装ケース２は、容器１０が収容可能な収容部４を備え、該収容部４は前後壁５，６と天壁７と底壁８とから構成されている。即ち、前記プラスチックシート３は、例えば図３に示す如く、一方側から後壁６、底壁８、前壁５、天壁７及び取り付け部９が、順次折り曲げ罫線が施された折り目ａ，ｂ，ｃ，ｄを介して区画されている。
【００１３】
更に、前記取り付け部９と天壁７とは、プラスチックシート３が両側から略Ｕ字状に切り欠かれてなる連結部１１を介して連結されている。連結部１１の幅Ｗは天壁７の幅Ｗ１よりも小さく設定され、好ましくは、３Ｗ≦Ｗ１に設定されている。
【００１４】
そして、前記天壁７と連結部１１とは、前記折り目ｄを介して連結されており、取り付け部９が後壁６の中途部６ａ内面にホットメルト等の接着剤や熱融着等で接着されている。ここに、収容部４の左右両側が開口され、且つ、後壁６の一部（突出部６ｂ）が天壁７よりも上方に突出したスリーブ状のケース２が構成される。尚、該突出部６ｂの表面には、ラベル（図示省略）が適宜貼着又は印刷される。
【００１５】
前記天壁７の中央には、例えば円形の挿通口１８が形成され、しかも、挿通口１８の周部には、放射状に複数の切り込み１９が形成されている。
【００１６】
また、前後壁５，６と底壁８の屈曲部には、開口１５、１６がそれぞれ形成されている。かかる開口１５、１６は前記折り目ａ及び折り目ｂを両端とする切込み２０，２１を形成することにより設けられている。
【００１７】
前記容器１０は、例えば化粧液が充填された容器本体１２と、該容器本体１２の口部に着脱自在に螺合されたキャップ１３とからなる。キャップ１３は円錐台状を呈しており、その下端の大径部の直径ｄ１は、前記挿通口１８の直径Ｄよりも若干大きく設定されている。
【００１８】
また、容器本体１２の直径ｄ２は、前記前後壁５，６の間隔（天壁７の前後方向の距離）Ｌと等しいか、または、若干大きく設定されている。しかも、天壁７と底壁８との間隔Ｌ１は、キャップ１３の下面から容器本体１２の底面までの距離と等しいか、または、若干大きく設定されている。
【００１９】
上記構成からなる包装体は、容器１０をケース２の収容部４の一方側の開口から内部に嵌入する。このとき、天壁７後方は、幅の狭い連結部１１で後壁６と接続されているため、連結部１１がねじれると共に天壁７の後方の両側部（ねじれ部分）７ａを上方にねじって湾曲させることができる。従って、天壁７と底壁８との間隔を広くさせた状態で、容器１０を傾斜させ、キャップ２を天壁７の挿通口１８に下方向から挿入し嵌合させる（図４参照）。
【００２０】
このとき、挿通口１８の周縁部には切り込み１９が形成されていることから、キャップ２は挿通口１８の周縁部を湾曲させながらを通過し、天壁７は弾性力により水平状態に復元する。
【００２１】
容器１０がケース２に包装されると、天壁７の挿通口１８の周縁部が、上方に突出するキャップ２の下面に押圧すると共に、容器本体１２の底部の周部が、開口１５，１６に係合するため、被包装物１０は包装ケースから容易に飛び出したり、脱落したりするおそれなく、安定性が良く容器１０は包装ケース２により確実に保持される。
【００２２】
本発明は、上記のそれぞの実施の形態に限定されるものではない。例えば、図５に示す如く、天壁７と前壁５とを接続する折り目ｃ上に、両側から切り込み３６を形成しても良い。かかる場合には、折り目ｃも連結部として機能し、天壁７の左右部分を前後方向全長にわたって上方に湾曲させることが可能となる。
また、前記連結部１１の長さも、容器本体１２やキャップ１３の大きさによって適宜設定すれは良い。
【００２３】
図６に示す如く天壁７の挿通口の周縁部には、切り込みを設ける必要はなく、かかる場合には、該挿通口１８の直径は、キャップ１３の直径ｄ１と略等しいのが好ましい。
【００２４】
更に、天壁７と底壁８との間隔Ｌ１は、キャップ１３の下面から容器本体１２の底面までの距離よりも小さく設定し、天壁７の挿通口１８の周縁部は、キャップ１３と容器本体１２との間隙に嵌合する構成でも良い。
【００２５】
【発明の効果】
以上のように本発明の包装体は、前記天壁に形成された挿通口には、被包装物が挿通され、しかも、天壁の一部は上方に湾曲自在に設けられているので、被包装物を包装ケースで包装する際には、天壁７の一部を上方に湾曲させることにより、該天壁と底壁との間隔を大きくでき、シートを破断することなく、被包装物を包装ケースにスムーズ且つ容易に収容して包装することができる。
【００２６】
また、被包装物のキャップは、天壁の挿通口に挿通されていることから、被包装物は包装ケースから不用意に飛び出したり、脱落したりするのを防止できる。しかも、被包装物を包装ケースから取り出す際にも、上記の如く天壁の一部を上方に湾曲させることにより、スムーズ且つ容易に行える。
【００２７】
更に、前記天壁は、該天壁よりも幅の狭い連結部を介して前後壁の少なくとも一方に接続されている場合には、天壁と共に連結部もねじることができ、被包装物を包装ケースによりスムーズに収容することができる。
【図面の簡単な説明】
【図１】本発明の第一実施の形態を示す包装体の斜視図。
【図２】同包装体の全体断面側面図。
【図３】同包装ケースの展開平面図。
【図４】同包装ケースに容器を装着する状態の斜視図。
【図５】本発明の第二実施の形態の包装ケースの要部斜視図。
【図６】本発明の第三実施の形態を示す包装体の斜視図。
【図７】従来例を示す包装体の斜視図。
【符号の説明】
２…包装ケース、５…前壁、６…後壁、７…天壁、８…底壁、１０…容器（被包装物）、１１…連結部、１８…挿通開口
【図１】
0004135833.tif 000002
【図２】
0004135833.tif 000003
【図３】
0004135833.tif 000004
【図４】
0004135833.tif 000005
【図５】
0004135833.tif 000006
【図６】
0004135833.tif 000007
【図７】
0004135833.tif 000008